(57)【要約】【課題】作業体系に対応して燃料フィルタの設置を異ならせて車幅を変更できる作業車両を提供することを目的とする。【解決手段】エンジン４への燃料をろ過する燃料フィルタ２６を備えた作業車両において、該燃料フィルタ２６を運転者の搭乗空間Ｓの前方部と側方部に選択して装着する構成とし、燃料フィルタ２６及びフィルタカバー３１を支持する中間ステー３０を設け、該中間ステー３０に燃料フィルタ２６及びフィルタカバー３１を支持した状態で操縦空間Ｓの側方部又は前方部に選択して装着する構成とした。【選択図】    図５
2020199791.tif 000002
【特許請求の範囲】
【請求項１】
エンジン（４）への燃料をろ過する燃料フィルタ（２６）を備えた作業車両において、該燃料フィルタ（２６）を運転者の搭乗空間（Ｓ）の前方部と側方部に選択して装着する構成としたことを特徴とする作業車両。
【請求項２】
前記燃料フィルタ（２６）及びフィルタカバー（３１）を支持する中間ステー（３０）を設け、該中間ステー（３０）に前記燃料フィルタ（２６）及び前記フィルタカバー（３１）を支持した状態で操縦空間（Ｓ）の側方部又は前方部に選択して装着する構成とした請求項１に記載の作業車両。
【発明の詳細な説明】
【技術分野】
【０００１】
本発明は、農業用トラクタ等の作業車両に関し、特に燃料フィルタの支持構成に関する。
【背景技術】
【０００２】
燃料タンクからエンジン までの間に介設する燃料フィルタを乗降用のステップに近接して設けたものが知られている（特許文献１）。
【先行技術文献】
【特許文献】
【０００３】
【特許文献１】特開２０１７−３１８４２号公報
【発明の概要】
【発明が解決しようとする課題】
【０００４】
特許文献１の構成によると燃料フィルタのメンテナンス性に有利であるが、ハウス作業など側方をハウス側壁や支柱等の障害物に接近させて走行させたい場合、乗降用ステップを取り外しても燃料フィルタが側方に突出し障害物を回避しながら接近走行させることが困難であった。
【０００５】
この発明は、上記に鑑み、作業体系に対応して燃料フィルタの設置を異ならせて車幅を変更できる作業車両を提供することを目的とする。
【課題を解決するための手段】
【０００６】
この発明は、上記課題を解決すべく次のような技術的手段を講じた。
【０００７】
請求項１に記載の発明は、エンジン４への燃料をろ過する燃料フィルタ２６を備えた作業車両において、該燃料フィルタ２６を運転者の搭乗空間Ｓの前方部と側方部に選択して装着する構成とした。
【０００８】
請求項２に記載の発明は、請求項１に記載の発明において、燃料フィルタ２６及びフィルタカバー３１を支持する中間ステー３０を設け、該中間ステー３０に燃料フィルタ２６及びフィルタカバー３１を支持した状態で操縦空間Ｓの側方部又は前方部に選択して装着する構成とした。
【発明の効果】
【０００９】
請求項１に記載の発明によると、ハウス内作業等においては燃料フィルタ２６を搭乗空間Ｓの前方部に位置させておくことにより車幅を狭くしてハウス内壁に接近させて車両を走行させることができ、圃場作業等のように車両側部に障害物を配慮せずに走行させる場合には燃料フィルタ２６を搭乗空間Ｓの側部に位置させ前方部の視界を遮ることなく走行させることができる。
【００１０】
請求項２に記載の発明によると、請求項１に記載の効果に加え、燃料フィルタ２６をフィルタカバー３１を装着したままで位置変更取付できる。
【図面の簡単な説明】
【００１１】
【図１】本発明の実施の形態にかかる農用トラクタの側面図である。
【図２】同実施の形態において、補助ステップ前方、即ち搭乗空間Ｓの側方部に燃料フィルタを固定した農用トラクタの一部の斜視図である。
【図３】同上の分解斜視図である。
【図４】同実施の形態において、ガード部材の前方に、即ち搭乗空間Ｓの前方部に燃料フィルタを固定した農用トラクタの一部の側面図である。
【図５】同上の斜視図である。
【発明を実施するための形態】
【００１２】
以下に、本発明に係る実施形態を図面に基づいて詳細に説明する。
【００１３】
作業車両としての農用トラクタは、動力によって自走しながら圃場等で作業を行う。農用トラクタは、機体１前側にあって駆動可能でかつ操舵可能な左右の前輪２Ｌ，２Ｒと、機体１後側に装着される左右の後輪３Ｌ，３Ｒと、動力源としてのエンジン４と、変速装置を内装するミッションケース５を備える。なお、左右一対に設けられる部材において、図中符号Ｌは左側を示し、符合Ｒは右側を示す。
【００１４】
また、機体１後部に、ロータリ等の作業機６を装着可能な連結装置７が配設されている。連結装置７は、中央上部のトップリンク７ａと下部左右のロアリンク７ｂ，７ｂからなる３点リンクとされ、リフトアーム８を油圧で回動することで、リフトロッド９，９を介してロアリンク７ｂを回動し該作業機６を昇降連動する構成である。
【００１５】
トラクタ１は、機体上の操縦席１０の前側のダッシュボード１２からステアリングハンドル１３が立設されると共に、操縦席１０の下方のステップ１５部にはクラッチペダル、ブレーキペダル、アクセルペダル等の各種操作ペダルや前後進レバー、変速レバー等の各種操作レバーが配置されている。
【００１６】
前記ミッションケース５内には伝動機構を配置している。伝動機構について、エンジン４からの動力は、公知の前後進切替機構、主変速機構、副変速機構を介して後輪３Ｌ，３Ｒ及び前輪２Ｌ，２Ｒを駆動する。
【００１７】
操縦席１０の下方のステップ１５は、運転者の搭乗空間Ｓの床面に配設されるもので、前記ミッションケース５、該ミッションケース５から左右延出状に設けるベース部材１６Ｌ，１６Ｒや後輪３Ｌ，３Ｒを覆うフェンダ１７Ｌ，１７Ｒの前端下部等に支持構成されている。ステップ１５の左右側前部においてフェンダ１７Ｌ、１７Ｒに対向すべくガード部材１８Ｌ，１８Ｒを有する。各ガード部材１８はフレーム部材１９とパネル部材２０とからなり、フレーム部材１９は搭乗の際にハンドキャッチャとなり、パネル部材２０は操縦運転中に運転者への泥土飛散防止や防風を図る。フレーム部材１９は、徐々に湾曲するＬ型を呈し、下端をステップ１５の前部外端部に支持し、上端をミッションケース５に立設したフレーム部材２１に支持固定している。中間部には水平フレーム１９ａを設けて補強を図っている。そしてパネル部材２０は樹脂製又は板金材からなり、水平フレーム１９ａ位置よりも下方側の空間を覆うようにフレーム部材１９に着脱自在に設けられる。
【００１８】
前記ステップ１５の側部には補助ステップ２２を設ける。補助ステップ２２は、踏み板部２２ａと前後の支持アーム部２２ｆ，２２ｒと前記ステップ１５の側面に装着するための支持固定部２２ｂとからなる。２３はバックミラー２４を支持するブラケットである。
【００１９】
前記ミッションケース５の左右両側で前記補助ステップ２２Ｌ，２２Ｒとの間に、互いに連通可能に燃料タンク２５Ｌ，２５Ｒを配設する。そして、燃料タンク２５とエンジン４との間に、図外燃料ポンプ、燃料フィルタ２６を設ける。燃料ポンプの駆動によって、燃料タンク２５の燃料は、第１供給パイプ２７を介して車体の右側に設ける燃料フィルタ２６に供給され、この燃料フィルタ２６でろ過された後、第２供給パイプ２８を介して燃料噴射ポンプ（図示せず）に供給される構成である。
【００２０】
上記燃料フィルタ２５の設置構造について詳述する。図２，図３に示すように、前記補助ステップ２２のうち右側補助ステップ２２Ｒの前側支持アーム部２２ｆを矩形プレートに構成し、または矩形プレートを前側支持アーム部２２ｆに重合させて固定し、矩形プレート前面に形成するブラケット部２９に、中間ステー３０を介して燃料フィルタ２６及びこの燃料フィルタ２６を保護するフィルタカバー３１を装着する。すなわち、中間ステー３０は、上記支持アーム部２２ｆのブラケット部２９に上下重合状態で連結する第１連結部３０ａ、燃料フィルタ２６のブラケット部２６ａを上下重合状態で連結する第２連結部３０ｂ、上記フィルタカバー３１の上端縁を連結する起立状連結部３０ｃ、フィルタカバー３１の上下２か所を連結する縦の帯状連結部３０ｄを備えて構成され、中間ステー３０に燃料フィルタ２６及びフィルタカバー３１を連結した状態で、支持アーム部２２ｆのブラケット部２９から第１連結部３０ａを切り離しできる。なお、第１連結部３０ａを該ブラケット部２９に連結する状態の燃料フィルタ２６は、右側補助ステップ２２Ｒの前面に位置し、ステップ１５の右側面下方、即ち搭乗空間Ｓの側面下方に位置する関係となる。
【００２１】
一方、図４，図５に示すように、前記ガード部材１８のうち、右側ガード部材１８Ｒのフレーム部材１９Ｒの水平フレーム部１９ａを、前記中間ステー３０の第１連結部３０ａを連結できるブラケット部に構成する。前記のように、中間ステー３０に燃料フィルタ２６とフィルタカバー３１を連結した状態で支持アーム部２２ｆのブラケット部２９から第１連結部３０ａを切り離し、この第１連結部３０ａを右側ガード部材１８Ｒの水平フレーム部１９ａに連結するものであり、この連結によって、燃料フィルタ２６は右側ガード部材１８Ｒの前方、即ち搭乗空間Ｓの右前方に位置する関係となる。なお、第１供給パイプ２７、第２供給パイプ２８の各長さは両方のブラケット部に連結状態を変更しても差支えない長さに設定するもので、別途長さのパイプ材を準備する必要はないものとしている。
【００２２】
上記実施例では燃料フィルタ２６及びフィルタカバー３１を右側配置で搭乗空間Ｓの側方と前方に位置変更できる構成としたが、搭乗空間Ｓの左側において位置変更できる構成としてもよい。
【符号の説明】
【００２３】
４  エンジン
２６  燃料フィルタ
３０  中間ステー
３１  フィルタカバー
Ｓ  搭乗空間
【図１】
2020199791.tif 000003
【図２】
2020199791.tif 000004
【図３】
2020199791.tif 000005
【図４】
2020199791.tif 000006
【図５】
2020199791.tif 000007